(57)【要約】【課題】外装体に蓄電素子を挿入する際の組立作業性に優れた構成とする。【解決手段】開口部５を有する外装体１と、第１方向に並べた状態で、外装体１内に配置される複数の蓄電素子２と、を備える。外装体１の内側面の対向部分には、開口部５から底部に向かって第１方向に略直交する第２方向に延びる位置決め突起１１がそれぞれ設けられている。位置決め突起１１は、隣接する蓄電素子２，２間を、底部６側の部位で位置決め可能である。【選択図】図２
2018063840.tif 000002
【特許請求の範囲】
【請求項１】
開口部を有する外装体と、
第１方向に並べた状態で、前記外装体内に配置される複数の蓄電素子と、
前記外装体の内側面の対向部分に配置され、前記開口部から下側に向かって前記第１方向に略直交する第２方向に延び、隣接する蓄電素子間を、前記外装体の下側の部位で位置決め可能である位置決め突起と、
を備えていることを特徴とする蓄電装置。
【請求項２】
前記位置決め突起は、前記外装体の下側に向かうに従って前記蓄電素子に接近することを特徴とする請求項１に記載の蓄電装置。
【請求項３】
前記位置決め突起は、前記外装体の下側に向かうに従って前記蓄電素子に対する押圧力を増大させることを特徴とする請求項２に記載の蓄電装置。
【請求項４】
前記位置決め突起は、前記第２方向に沿って複数箇所に設けられていることを特徴とする請求項１から３のいずれか１項に記載の蓄電装置。
【請求項５】
前記蓄電素子は外表面の少なくとも一部に湾曲面を有し、
前記位置決め突起は、前記蓄電素子の湾曲面に当接することを特徴とする請求項１から４のいずれか１項に記載の蓄電装置。
【請求項６】
前記蓄電素子は略直方体形状であり、前記第１方向に隣接する蓄電素子の側面同士が接触していることを特徴とする請求項１から５のいずれか１項に記載の蓄電装置。
【請求項７】
前記蓄電素子は略直方体形状であり、
前記蓄電素子は外表面の少なくとも一部に湾曲面を有し、
前記湾曲面は、前記蓄電素子の前記第１方向に隣接する側面の両側部に形成される円弧面であることを特徴とする請求項１から６のいずれか１項に記載の蓄電装置。
【請求項８】
前記外装体は、蓄電素子が収容される有底筒状の本体と、前記本体の開口部を閉鎖する蓋体とからなり、
前記位置決め突起は、前記本体の下側と、前記蓋体とに設けたことを特徴とする請求項１から７のいずれか１項に記載の蓄電装置。
【請求項９】
前記外装体の内側面には、前記第１方向及び前記第２方向に直交する第３方向に突出して、前記蓄電素子の端面に当接可能な位置合わせ突起が設けられていることを特徴とする請求項１から８のいずれか１項に記載の蓄電装置。
【請求項１０】
前記位置合わせ突起は、前記外装体の内側面の一方にのみ設けられていることを特徴とする請求項９に記載の蓄電装置。
【請求項１１】
前記位置合わせ突起は、前記外装体の下方に向かって前記蓄電素子に接近するように突出することを特徴とする請求項９又は１０に記載の蓄電装置。
【請求項１２】
前記位置合わせ突起は、前記外装体の内側面の下半分に設けられていることを特徴とする請求項９から１１のいずれか１項に記載の蓄電装置。
【請求項１３】
前記蓄電素子は、上部に端子を備え、
前記複数の蓄電素子の一つに設けられた前記端子と、前記複数の蓄電素子の別の一つに設けられた前記端子とが、接続桿により互いに接続されていることを特徴とする請求項１から１２のいずれか１項に記載の蓄電装置。
【発明の詳細な説明】
【技術分野】
【０００１】
本発明は、蓄電装置に関するものである。
【背景技術】
【０００２】
従来、ケースの側壁の内側壁下部に板ばね部材を配置し、ケースの電池収容室に収容される単電池を反対側の側壁内面へと押し付けて位置決めするようにした組電池が公知である（例えば、特許文献１参照）。
また、ケース内に複数の隔壁を形成することにより形成されたスペースに単位電池をそれぞれ収容するようにした電池モジュールが公知である（例えば、特許文献２参照）。
さらに、パックケースの中央部に複数の円柱体を形成し、内側面に複数の柱状体を形成することにより、円柱体と柱状体とによって収容する二次電池セルを位置決めするようにした電池パックが公知である（例えば、特許文献３参照）。
【先行技術文献】
【特許文献】
【０００３】
【特許文献１】特開２０１３−２４２９６７号公報
【特許文献２】特開２０１０−８０４５０号公報
【特許文献３】特開２０１１−１７１１７６号公報
【発明の概要】
【発明が解決しようとする課題】
【０００４】
しかしながら、前記特許文献に記載されたいずれの構成であっても、その構造上の理由から組立作業性が悪い。
【０００５】
本発明は、外装体に蓄電素子を挿入する際の組立作業性に優れた蓄電装置を提供することを課題とする。
【課題を解決するための手段】
【０００６】
本発明は、前記課題を解決するための手段として、
開口部を有する外装体と、
第１方向に並べた状態で、前記外装体内に配置される複数の蓄電素子と、
前記外装体の内側面の対向部分に配置され、前記開口部から下側に向かって前記第１方向に略直交する第２方向に延び、隣接する蓄電素子間を、前記外装体の下側の部位で位置決め可能である位置決め突起と、
を備えていることを特徴とする蓄電装置を提供する。
【０００７】
この構成により、外装体内に蓄電素子を収容するだけで、位置決め突起によって隣接する蓄電素子間を位置決めできる。位置決め突起が蓄電素子を位置決めするのは外装体の下側の部位であり、挿入部分で邪魔になることがない。このため、外装体への蓄電素子の組立作業をスムーズに行うことができる。
【発明の効果】
【０００８】
本発明によれば、外装体は内面に位置決め突起を形成しただけであり、簡単かつ安価な構成であると共に小型かつ軽量な構成でもある。また、蓄電素子を位置決めするのは外装体の下側であり、外装体内に蓄電素子を収容する際に邪魔になることがなく、スムーズな組立作業を実現できる。
【図面の簡単な説明】
【０００９】
【図１】本実施形態に係る蓄電装置の斜視図である。
【図２】図１の分解斜視図である。
【図３】図２に示す本体の斜視図である。
【図４】図３に示す本体の第２内側面の正面図である。
【図５】図４に示す第１位置決め突起及び第３位置決め突起の上方部分の斜視図である。
【図６】図４に示す位置合わせ突起の斜視図である。
【図７】図２の本体の開口部から見た位置決め突起と蓄電素子の関係を示す平面図である。
【図８】図２の本体の底部に於ける位置決め突起と蓄電素子の関係を示す平面図である。
【図９】他の実施形態に係る本体の正面断面図である。
【図１０】他の実施形態に係る蓄電素子の蓋体を外した状態を示す斜視図である。
【発明を実施するための形態】
【００１０】
本実施形態では、
開口部を有する外装体と、
第１方向に並べた状態で、前記外装体内に配置される複数の蓄電素子と、
前記外装体の内側面の対向部分に配置され、前記開口部から下側に向かって前記第１方向に略直交する第２方向に延び、隣接する蓄電素子間を、前記外装体の下側の部位で位置決め可能である位置決め突起と、
を備えていることを特徴とする蓄電装置を提供する。
【００１１】
この構成により、外装体内に蓄電素子を収容するだけで、位置決め突起によって隣接する蓄電素子間を位置決めできる。位置決め突起が蓄電素子を位置決めするのは外装体の下側の部位であり、挿入部分で邪魔になることがない。このため、外装体への蓄電素子の組立作業をスムーズに行うことができる。
【００１２】
前記位置決め突起は、前記外装体の下側に向かうに従って前記蓄電素子に接近するのが好ましい。
【００１３】
この構成により、外装体内に蓄電素子を挿入するに従って徐々に位置規制することができ、無理のないスムーズな組立作業を実現できる。
【００１４】
前記位置決め突起は、前記外装体の下側に向かうに従って前記蓄電素子に対する押圧力を増大させるように構成されているのが好ましい。
【００１５】
この構成により、蓄電素子の位置決め状態をより一層強固なものとすることができる。
【００１６】
前記位置決め突起は、前記第２方向に沿って複数箇所に設けられているのが好ましい。
【００１７】
この構成により、位置決め突起の占有体積を抑制して、さらに軽量化を図ることができる。
【００１８】
前記蓄電素子は外表面の少なくとも一部に湾曲面を有し、
前記位置決め突起は、前記蓄電素子の湾曲面に当接するのが好ましい。
【００１９】
この構成により、蓄電素子の強度が高められた湾曲面に位置決め突起を当接させることができ、変形等の不具合を適切に防止することが可能となる。
【００２０】
前記蓄電素子は略直方体形状であり、前記第１方向に隣接する蓄電素子の側面同士が接触しているのが好ましい。
【００２１】
この構成により、外装体内での蓄電素子の位置ずれをより一層確実に防止することができる。
【００２２】
前記蓄電素子は略直方体形状であり、
前記蓄電素子は外表面の少なくとも一部に湾曲面を有し、
前記湾曲面は、前記蓄電素子の前記第１方向に隣接する側面の両側部に形成される円弧面であるのが好ましい。
【００２３】
前記外装体は、蓄電素子が収容される有底筒状の本体と、前記本体の開口部を閉鎖する蓋体とからなり、
前記位置決め突起は、前記本体の下側と、前記蓋体とに設けるのが好ましい。
【００２４】
この構成により、蓄電素子を両端側で位置決めすることができ、位置決め状態を安定させることが可能となる。
【００２５】
前記外装体の内側面には、前記第１方向及び前記第２方向に直交する第３方向に突出して、前記蓄電素子の端面に当接可能な位置合わせ突起が設けられているのが好ましい。
【００２６】
この構成により、蓄電素子を並設方向のみならず、これと直交する方向にもガイドすることができ、より一層安定した位置決め状態を得ることが可能となる。
【００２７】
前記位置合わせ突起は、前記外装体の内側面の一方にのみ設けられているのが好ましい。
【００２８】
この構成により、各蓄電素子の位置を一方の内側面を基準として位置合わせすることができる。
【００２９】
前記位置合わせ突起は、前記外装体の下方に向かって前記蓄電素子に接近するように突出するのが好ましい。
【００３０】
この構成により、外装体内に蓄電素子を挿入するに従って徐々に位置合わせ突起を蓄電素子の端面に接近させることができ、スムーズな組立作業が可能となる。
【００３１】
前記位置合わせ突起は、前記外装体の内側面の下半分に設けられているのが好ましい。
【００３２】
この構成により、より一層スムーズな組立作業が可能となる。
【００３３】
本発明の一つの実施形態においては、
開口部を有する外装体と、
第１方向に並べた状態で、前記外装体内に配置される複数の蓄電素子と、
前記外装体の内側面の対向部分に配置され、前記開口部から下側に向かって前記第１方向に略直交する第２方向に延び、隣接する蓄電素子間を、前記外装体の下側の部位で位置決め可能である位置決め突起と、
を備えた蓄電装置において、
前記蓄電素子は、上部に端子を備え、
前記複数の蓄電素子の一つに設けられた前記端子と、前記複数の蓄電素子の別の一つに設けられた前記端子とが、接続桿により互いに接続されているのが好ましい。
【００３４】
この構成により、位置決め突起によって、蓄電素子が外装体の下側の部位で位置決めされる。外装体の下側の部位で位置決めするという手段を用いた場合、挿入部分で邪魔になるものがないため、外装体への蓄電素子の組立作業をスムーズに行うことができる。しかし、それのみでは蓄電素子の上側を外装体でしっかりと固定できず、下側の部位のみで位置決めをした場合に特有の、蓄電素子の上側を簡易に固定しにくいという問題点が生じる。上記の好ましい形態では、下側の部位では位置決め突起により蓄電素子の位置決めがなされ、上側の部位では、複数の蓄電素子は接続桿により接続されることでお互いに位置決めがなされる。このようにすることで、下側の部位で位置決めをした場合に特有の蓄電素子の上側を簡易に固定しにくいという問題点を解決すると共に、外装体への蓄電素子の組立作業をスムーズに行うことができるという効果も同時に達成することができる。加えて、接続桿は、蓄電素子同士を電気的に接続する導通部材と、蓄電素子を固定する固定部材との両方の機能をあわせ持つため、個別に部品を用意する必要がなく、コストアップを招来することもない。
【００３５】
以下、本発明に係る実施形態を添付図面に従って詳細に説明する。なお、以下の説明では、必要に応じて特定の方向や位置を示す用語（例えば、「上」、「下」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。さらに、図面は模式的なものであり、各寸法の比率等は現実のものとは必ずしも合致していない。
【００３６】
図１は、本実施形態に係る蓄電装置の外観を示す。図２に示すように、この蓄電装置は、外装体１と、その内部に第１方向に並べた状態で収容される複数の蓄電素子２とを備える。
【００３７】
外装体１は、合成樹脂材料からなる本体３と蓋体４とで構成されている。
【００３８】
図３に示すように、本体３は、上面に開口部５を有する中空の六面体（ここでは、直方体）である。底壁６には上下面の対応する位置に格子状のリブ７がそれぞれ形成されている。底壁６の上面（底部）を長手方向に延びるリブ７は、側壁８の内周面のうち、長手方向（図３中、矢印Ｘで示す方向）に対向する第１内側面９をさらに上方へと延びている。開口部５は、上端部が薄肉に形成され、その内側３辺には側壁８の一部（端面８ａ）が露出している。
【００３９】
また側壁８の内側面のうち、短手方向に対向する第２内側面１０は底壁６の上面に向かって徐々に接近するように傾斜している。この第２内側面１０には位置決め突起１１がそれぞれ対向して形成され、一方の第２内側面１０には位置合わせ突起１２が形成されている。
【００４０】
位置決め突起１１は突条に形成され、第２内側面１０を上方側から底壁６の上面に向かって、本体３内に収容される蓄電素子２が並ぶ第１方向に対して直交する第２方向に延びている。図４に示すように、位置決め突起１１は、第１位置決め突起１３、第２位置決め突起１４、及び、第３位置決め突起１５で構成されている。第３位置決め突起１５が長手方向両端部にそれぞれ配置され、その内側に３つの第１位置決め突起１３、１つの第２位置決め突起１４、３つの第１位置決め突起１３…の順で、第１位置決め突起１３と第２位置決め突起１４とが配置されている。隣接する突起の間（突起１３，１３間、突起１３，１４間）は、全て同じ所定値に設定されている。各位置決め突起１１の上端面１１ａは、側壁８の端面８ａよりも下方側に位置している。
【００４１】
図５及び図６に示すように、第１位置決め突起１３は、水平面（底壁６の上面と平行な面）での断面（水平断面）が第２内側面１０側を下底とし、その反対側を上底とし、上底と下底を結ぶ面を脚とする等脚台形状である。また、第１位置決め突起１３は、上底が底壁６の上面に向かうに従って徐々に長くなり、その両端から延びる２つの脚のなす角度が徐々に小さくなるように形成されている。つまり、脚を構成する傾斜面１６が底壁６の上面に向かって徐々に両側に広がるように形成されている。但し、傾斜面１６は凹曲面で構成されており、第１位置決め突起１３の水平断面形状は正確には等脚台形ではなく、略等脚台形であると言える。
【００４２】
第２位置決め突起１４は、水平断面が第２内側面１０側を下底とし、その反対側を上底とし、上底と下底を結ぶ面を脚とする断面台形状である。また、第２位置決め突起１４は、第１位置決め突起１３と同様に、底壁６の上面に向かうに従って、上底が長くなり、その両端から延びる２つの脚のなす角度が徐々に小さくなり、脚を構成する傾斜面１６が底壁６の上面に向かって徐々に両側に広がるように形成されている。但し、第２位置決め突起１４では、前記第１位置決め突起１３に比べて上底が長くなっている。但し、傾斜面１６は凹曲面で構成されており、第２位置決め突起１４の水平断面形状は正確には等脚台形ではなく、略等脚台形であると言える。
【００４３】
第３位置決め突起１５は、第２位置決め突起１４を幅方向の中央部で２分割した構成となっている。
【００４４】
このように、各位置決め突起１１は、底壁６の上面に向かうに従って幅方向に広がる傾斜面１６を備えている。隣り合う位置決め突起１１の間では、傾斜面が底壁６の上面に向かうに従って徐々に接近している。これにより、本体３内に蓄電素子２を挿入する際、開口部５では隙間が形成されて挿入しやすい。また、挿入するに従って蓄電素子２を幅（平面視での短手）方向に位置規制でき、挿入完了状態では位置決め可能となる。
【００４５】
図６に示すように、位置合わせ突起１２は、各位置決め突起１１の間の中央部分であって、本体３の底壁６の上面から開口部５に向かって中間位置まで延びる（すなわち、第２内側面１０の下半部に形成される）突条で構成されている。したがって、第２内側面１０からの位置合わせ突起１２の突出方向は、前記第１方向及び前記第２方向に直交する方向となる。また、各位置合わせ突起１２は水平断面が矩形状で、底壁６の上面に向かうに従って徐々に突出寸法が大きくなっている。そして、各位置合わせ突起１２のガイド面（第２内側面１０とは反対側の面（ガイド面）では、上端部分がそれよりも下方側の部分よりも垂直面に対する傾斜角度が大きくなっている。なお、第２内側面１０が下方に向かって対向方向に傾斜していれば、第２内側面１０からの位置合わせ突起１２の突出寸法が上下方向で同じであっても構わない。
【００４６】
前記構成の本体３では、成形加工により位置決め突起１１や位置合わせ突起１２を一体的に形成して簡単に得ることができる。しかも、位置決め突起１１の幅寸法や位置合わせ突起１２の突出寸法を高精度に得ることが可能である。
【００４７】
蓋体４は、平面視矩形をした板状体からなり、周縁部が下方側に突出している。蓋体４の上面中央部は窪んでおり、長手方向の中心部分の両側はさらに溝状に窪んでいる。これにより、蓋体４の下面側には、長手方向に延びる５列の空間が形成される。これらは、蓄電素子同士を電気接続するバスバー等を配置するためのスペースを提供する。また蓋体４の両側中央部からは突起がそれぞれ突出している。
【００４８】
蓄電素子２は、内部構成については図示しないが、アルミニウムやアルミニウム合金等で構成された直方体形状の容器１７内に電極体を収容し、容器１７の上端開口を蓋で封止し、そこに端子１８を露出させた公知のものである。蓄電素子２の側面２ａと端面２ｂの間、側面２ａ及び端面２ｂと底面２ｃの間は、それぞれ湾曲面の一例である円弧面１９でつながっている。
【００４９】
前記構成の蓄電装置は、次のようにして組み立てることができる。
【００５０】
すなわち、予め底壁の上面に接着剤を塗布した本体３内に、一端側から順に蓄電素子２をそれぞれ収容する。このとき、図７に示すように、本体３の開口部５では、位置決め突起１１の上端面１１ａが露出しているが、隣り合う位置決め突起１１では蓄電素子２の角部に形成される円弧面１９に対して隙間を形成可能な間隔となっている。また、対向する第２内側面１０同士の間隔も、挿入する蓄電素子２の端面２ｂに対して隙間が形成される間隔となっている。したがって、蓄電素子２を容易に挿入でき、組立作業性に優れている。
【００５１】
本体３内に挿入された蓄電素子２は、円弧面１９を位置決め突起１１の傾斜面１６によってガイドされながら徐々に幅（短手）方向（平面視矩形状の蓄電素子２の短手方向、以下同じ）の中心位置へと導かれる。また、蓄電素子２を中間位置まで挿入すると、端面２ｂに、下方に向かうに従って突出寸法を大きくする位置合わせ突起１２が接触し、蓄電素子２は長手方向（平面視矩形状の蓄電素子２の長手方向、以下同じ）へと導かれる。そして、蓄電素子２の円弧面１９及び端面２ｂに対して、位置決め突起１１の傾斜面１６及び位置合わせ突起１２のガイド面から作用する押圧力が徐々に大きくなる。図８に示すように、蓄電素子２の底面が本体３の底壁６の上面に当接することにより、蓄電素子２の位置決めが完了する。この状態では、位置決め突起１１の傾斜面１６によって蓄電素子２の円弧面１９が押圧されて短手方向に位置決めされると共に、位置合わせ突起１２によって蓄電素子２の端面が押圧されて長手方向に位置決めされる。また、隣接する蓄電素子２同士の側面２ａが接触する。但し、第２位置決め突起１４を挟んで隣り合う蓄電素子２の間には隙間が形成される。
【００５２】
本体３内への蓄電素子２の収容が完了すれば、バスバー等により電気配線を行った後、本体３の開口部５を蓋体４で閉鎖する。蓋体４は、本体３の第１内側面９及び第２内側面１０に沿って内側に配置し、周縁部下面を位置決め突起１１の上端面１１ａに載置する。そして、第２内側面１０側へとスライド移動させて、突起を開口部５内面に当接させる。最後に、本体３に対して蓋体４を溶着等により一体化することにより蓄電装置が完成する。
【００５３】
このように、前記実施形態に係る蓄電装置によれば、次のような効果を奏する。
（１）本体３の開口部では、長手方向に、位置決め突起１１の傾斜面１６の間隔が広くなっており、短手方向に位置合わせ突起１２の突出寸法分の隙間が形成されているため、蓄電素子２の挿入作業を簡単に行うことができる。
（２）本体３を成形加工する際、位置決め突起１１と位置合わせ突起１２とを一体的に形成することができるので、部品点数を増やすことのない簡単な構成で、重量の増大も殆どなく、しかも高精度に加工することができる。
（３）位置決め突起１１により蓄電素子２のうち、強度の高い円弧面１９を押圧するので、変形等の不具合を発生させることなく安定した位置決め状態を得ることができる。
（４）位置合わせ突起１２により蓄電素子２を短手方向だけでなく、長手方向にも位置決めすることができ、端子１８の位置を同一直線上に整列させることができる。
【００５４】
なお、本発明は、前記実施形態に記載された構成に限定されるものではなく、種々の変更が可能である。
【００５５】
前記実施形態では、外装体１を本体３と蓋体４とで構成したが、本体３のみで構成することもできる。
【００５６】
前記実施形態では、位置決め突起１１を本体３のみに形成するようにしたが、本体３のみならず蓋体４に形成してもよい。これによれば、蓄電素子２を、下方側のみならず、上方側でも位置決めすることができ、位置決め状態をより一層良好なものとすることが可能となる。
【００５７】
例えば、位置決め突起１１を本体３の第２内側面１０の中間部に設ける場合、下半部に設ける場合に比べて蓄電素子２をバランス良く位置決めすることができる。この場合、位置決め突起１１による押圧範囲を長くするのが好ましい。
【００５８】
また、位置決め突起１１を複数箇所に設ける場合、例えば、図９に示すように、上中下の３箇所にそれぞれ形成するようにしてもよい。この場合、下方側に位置する位置決め突起１１の突出寸法が大きくなるようにして、下部の位置決め突起１１で蓄電素子２を短手方向に位置決めすればよい。
【００５９】
前記実施形態では、位置合わせ突起１２を形成する位置は、本体３の下半部としたが、この位置に限らず、中間部等、他の場所であっても構わないし、複数箇所に設けることもできる。また、位置合わせ突起１２は、対向する第２内側面１０の一方にのみ形成するようにしたが、両方に設けるようにしてもよい。
【００６０】
前記実施形態では、蓄電素子２は直方体形状としたが、立方体形状のほか、円柱形状等、種々の形態を採用することができる。円柱状とした場合、その外周面の一部が位置決め突起１１によって位置決めされる湾曲面となる。
【００６１】
前記実施形態では、位置決め突起１１によって、蓄電素子２が外装体１の下側の部位で位置決めしたが、次のように構成することもできる。
例えば、図１０に示すように、複数の蓄電素子２が上部に端子１８を備え、複数の蓄電素子２の一つに設けられた端子１８と、複数の蓄電素子２の別の一つに設けられた端子１８とを、接続桿２０によって互いに接続してもよい。図１０では１つの接続桿２０で２つの蓄電素子２のみを接続しているが、実際に使用する際には、全ての蓄電素子２が接続桿２０で接続されるのが好ましい。
この構成によれば、外装体１の下側の部位で位置決めするため、挿入部分で邪魔になるものがなく、外装体１への蓄電素子２の組立作業をスムーズに行うことができる。しかも、上側の部位では、複数の蓄電素子２を接続桿２０により接続することでお互いに位置決めすることができる。つまり、接続桿２０を設けることにより、下側の部位のみで位置決めをした場合に特有の、蓄電素子２の上側を簡易に固定しにくいという問題を解決することができる。さらに、接続桿２０は、蓄電素子２同士を電気的に接続する導通部材と、蓄電素子２を固定する固定部材との両方の機能を併せ持つ。このため、個別に部品を用意する必要がなくなり、コストアップを招来することもない。
【符号の説明】
【００６２】
１…外装体
２…蓄電素子
２ａ…側面
２ｂ…端面
２ｃ…底面
３…本体
４…蓋体
５…開口部
６…底壁
７…リブ
８…側壁
８ａ…端面
９…第１内側面
１０…第２内側面
１１…位置決め突起
１１ａ…上端面
１２…位置合わせ突起
１３…第１位置決め突起
１４…第２位置決め突起
１５…第３位置決め突起
１６…傾斜面
１７…容器
１８…端子
１９…円弧面
【図１】
2018063840.tif 000003
【図２】
2018063840.tif 000004
【図３】
2018063840.tif 000005
【図４】
2018063840.tif 000006
【図５】
2018063840.tif 000007
【図６】
2018063840.tif 000008
【図７】
2018063840.tif 000009
【図８】
2018063840.tif 000010
【図９】
2018063840.tif 000011
【図１０】
2018063840.tif 000012